(57)【要約】      （修正有）【課題】ユーザ認証によってユーザが認証された際に認証されたユーザのジョブを自動でプリントするモードで動作している時に、パスワードが設定された印刷ジョブも通常印刷ジョブと同様に、ユーザ認証後に自動プリントする画像形成装置を提供する。【解決手段】パスワードが設定された印刷ジョブを保持する保持手段と、ユーザを認証する認証手段と、認証手段によってユーザが認証されることに従って、保持手段に保持されたパスワードが設定された印刷ジョブであって、且つ、認証手段によって認証されたユーザに対応した印刷ジョブを、パスワードを受け付けることなく自動で実行することが可能な印刷制御手段と、を有することを特徴とする。【選択図】図１２
2019206110.tif 000002
【特許請求の範囲】
【請求項１】
パスワードが設定された印刷ジョブを保持する保持手段と、
ユーザを認証する認証手段と、
前記認証手段によってユーザが認証されることに従って、前記保持手段に保持された前記パスワードが設定された印刷ジョブであって、且つ、前記認証手段によって認証されたユーザに対応した印刷ジョブを、パスワードを受け付けることなく自動で実行することが可能な印刷制御手段と、を有することを特徴とする画像形成装置。
【請求項２】
前記保持手段は、パスワードが設定されていない印刷ジョブを保持し、
前記印刷制御手段は、
前記認証手段によってユーザが認証されることに従って、前記保持手段に保持された前記パスワードが設定されていない印刷ジョブであって、且つ、前記認証手段によって認証されたユーザに対応した印刷ジョブを自動で実行することを特徴とする請求項１に記載の画像形成装置。
【請求項３】
前記パスワードが設定された印刷ジョブを実行するためにパスワードの入力を必要とするか否かを設定するパスワード入力設定手段をさらに有し、
前記印刷制御手段は、前記認証手段によってユーザが認証されることに従って、
前記パスワード入力設定手段における設定が前記パスワードの入力を必要としない設定である場合に、前記認証手段によって認証されたユーザに対応した、前記パスワードが設定されていない印刷ジョブと、前記パスワードが設定された印刷ジョブを、パスワードを受け付けることなく自動で実行し、
前記パスワード入力設定手段における設定が前記パスワードの入力を必要とする設定である場合に、前記認証手段によって認証されたユーザに対応した、前記パスワードが設定された印刷ジョブを実行せず、前記パスワードが設定されていない印刷ジョブを自動で実行することを特徴とする請求項２に記載の画像形成装置。
【請求項４】
前記パスワード入力設定手段は、ユーザによって予め設定されることを特徴とする請求項３に記載の画像形成装置。
【請求項５】
前記ユーザは、管理者であることを特徴とする請求項４に記載の画像形成装置。
【請求項６】
前記認証手段によってユーザが認証されることに従って、前記ユーザに対応した前記保持手段に保持された印刷ジョブのジョブリストを生成する生成手段を更に有し、
前記認証手段によってユーザが認証されることに従って、前記印刷制御手段は、前記生成手段によって生成されたジョブリストを参照して前記印刷ジョブを実行することを特徴とする請求項３乃至５のいずれか１項に記載の画像形成装置。
【請求項７】
前記パスワードの入力を必要としない設定において前記印刷制御手段が印刷ジョブを実行した場合に、前記ジョブリストには、印刷ジョブが残らないことを特徴とする請求項６に記載の画像形成装置。
【請求項８】
前記パスワードの入力を必要とする設定において前記印刷制御手段が印刷ジョブを実行した場合に、前記ジョブリストには、前記パスワードが設定された印刷ジョブが残ることを特徴とする請求項６または７に記載の画像形成装置。
【請求項９】
パスワードの入力を受け付ける受け付け手段を有し、
前記ジョブリストに残った前記パスワードが設定された印刷ジョブを選択し、前記受け付け手段によってパスワードを受け付けることによって、前記印刷制御手段が、前記パスワードを受け付けた前記パスワードが設定された印刷ジョブを実行することを特徴とする請求項８に記載の画像形成装置。
【請求項１０】
表示手段を更に有し、
前記パスワード入力設定手段が前記パスワードの入力を必要としない設定である場合に、前記パスワードが設定された印刷ジョブのプレビューを前記表示手段によって表示する際に、前記パスワードの入力を必要とせず、
前記パスワード入力設定手段が前記パスワードの入力を必要とする設定である場合に、前記パスワードが設定された印刷ジョブのプレビューを前記表示手段によって表示する際に、前記パスワードの入力を必要とすることを特徴とする請求項３乃至９のいずれか１項に記載の画像形成装置。
【請求項１１】
前記認証手段によってユーザが認証されることに従って、前記印刷制御手段が前記認証されたユーザに対応した、前記保持手段で保持された印刷ジョブを自動で実行するか否かを設定する認証印刷設定手段を更に有し、
前記認証印刷設定手段は、管理者によって予め設定されることを特徴とする請求項１乃至１０のいずれか１項に記載の画像形成装置。
【請求項１２】
印刷ジョブを受信する受信手段と、
前記受信手段によって受信した印刷ジョブを、前記保持手段で強制的に保持するか否かを設定するジョブ保持設定手段と、を更に有し、
前記ジョブ保持設定手段は、管理者によって予め設定されることを特徴とする請求項１乃至１１のいずれか１項に記載の画像形成装置。
【請求項１３】
パスワードが設定された印刷ジョブを保持し、ユーザを認証する画像形成装置の制御方法であって、
前記ユーザが認証されることに従って、前記パスワードが設定された印刷ジョブであって、且つ、認証されたユーザに対応した印刷ジョブを、パスワードを受け付けることなく自動で実行することを特徴とする画像形成装置の制御方法。
【請求項１４】
請求項１３に記載の制御方法を、コンピュータに実行させるためのプログラム。
【請求項１５】
請求項１４に記載のプログラムを格納したコンピュータで読み取り可能な記憶媒体。
【発明の詳細な説明】
【技術分野】
【０００１】
本発明は、画像形成装置、画像形成装置の制御方法、プログラムおよび記憶媒体に関する。
【背景技術】
【０００２】
近年、プリンタドライバから投入された印刷ジョブを画像形成装置内のハードディスクに記憶し、ユーザが画像形成装置に認証された後で、保持した印刷ジョブのうち、認証されたユーザに選択された印刷ジョブを実行する画像形成装置が存在する。
【０００３】
画像形成装置は印刷ジョブを記憶する際、印刷ジョブに含まれる印刷データと、印刷ジョブに関する情報である書誌情報（例えば、ユーザ名、印刷ジョブの格納場所、印刷設定、印刷ジョブのタイプ、印刷ジョブ名等の情報）を記憶、管理する。
【０００４】
画像形成装置はユーザ認証後、認証ユーザの書誌情報を操作部にリスト表示する。ユーザは表示されたリストから所望の書誌情報を選択し、印刷指示することで、画像形成装置は選択された書誌情報に対応する印刷ジョブを実行する。
【０００５】
特許文献１では、ユーザの操作手番を減らすために、ユーザを認証した後、該ユーザの印刷ジョブが保存されている場合には、ユーザによる選択操作を省略して自動的に印刷を開始（認証印刷）する画像形成装置が提案されている。
【先行技術文献】
【特許文献】
【０００６】
【特許文献１】特開２０１１−２２３１８０号公報
【発明の概要】
【発明が解決しようとする課題】
【０００７】
画像形成装置に記憶された印刷ジョブは暗号化されている場合がある。パスワードが設定された印刷ジョブ（暗号印刷ジョブ）を実行するためには、ユーザがパスワードを入力することにより印刷ジョブを復号化する必要がある。そのため、ユーザの認証に従って自動で印刷を行う場合には、暗号印刷ジョブを印刷できないおそれがあった。
【課題を解決するための手段】
【０００８】
本発明は、パスワードが設定された印刷ジョブを保持する保持手段と、ユーザを認証する認証手段と、認証手段によってユーザが認証されることに従って、保持手段に保持されたパスワードが設定された印刷ジョブであって、且つ、認証手段によって認証されたユーザに対応した印刷ジョブを、パスワードを受け付けることなく自動で実行することが可能な印刷制御手段と、を有することを特徴とする。
【発明の効果】
【０００９】
本発明によれば、パスワード照合の省略可能な動作モードで動作しているときに暗号印刷ジョブを通常印刷ジョブと同様に認証後自動印刷で印刷することができ、ユーザの印刷手間を削減することが可能となる。
【図面の簡単な説明】
【００１０】
【図１】ネットワーク構成の一例を示す図
【図２】画像形成装置１０２の全体の構成を示すブロック図
【図３】画像形成装置１０２のシステムソフトウェアの機能構成を示すブロック図
【図４】ＰＣ１０１の全体の構成を示すブロック図
【図５】ＰＣ１０１のシステムソフトウェアの構成を示すブロック図
【図６】従来の認証後自動印刷のシーケンスを説明する図
【図７】強制留め置きを設定する設定画面の一例および強制留め置きの設定値の管理図
【図８】ログイン時にマイジョブを自動でプリントするか否かを設定する設定画面の一例およびログイン時にマイジョブを自動でプリントするか否かの設定値の管理図
【図９】プリント機能画面の一例
【図１０】プリント機能画面の一例
【図１１】プリント機能画面の一例
【図１２】本発明の認証後自動印刷のシーケンスを説明する図
【図１３】パスワード入力設定の設定画面の一例およびパスワード入力設定の設定値管理図
【図１４】印刷ジョブの投入処理を説明するフローチャート
【図１５】印刷ジョブの保存処理を説明するフローチャート
【図１６】印刷ジョブの保存判定を説明するフローチャート
【図１７】書誌情報テーブルの一例
【図１８】画像形成装置１０２が管理するユーザ管理リスト６０１の一例
【図１９】ユーザ認証画面の一例
【図２０】印刷制御の処理を説明するフローチャート
【図２１】自動印刷制御の処理を説明するフローチャート
【図２２】機能選択画面の一例
【発明を実施するための形態】
【００１１】
以下、本発明を実施するための最良の形態について図面を用いて説明する。
【００１２】
（実施例１）
本実施例の画像形成装置は、留め置き印刷機能、認証後自動印刷機能とパスワード入力省略機能を備える。
【００１３】
留め置き印刷機能は、受信した印刷ジョブを補助記憶装置に格納し、印刷ジョブを留め置くことが可能である。ここで、補助記憶装置に格納される印刷ジョブは、データが暗号化されており、復号化するためにパスワードが必要な暗号印刷ジョブ（セキュアジョブ）と、データが暗号化されていない非暗号印刷ジョブを含むものとする。
【００１４】
認証後自動印刷機能は、ユーザの認証が実行されると、認証されたユーザに対応する補助記憶装置に留め置かれた印刷ジョブを、自動的に印刷する認証後自動印刷機能である。
【００１５】
パスワード入力省略機能は、ユーザの認証が実行された後、ユーザに暗号印刷ジョブのパスワード入力を求めない機能である。つまり、暗号印刷ジョブは、パスワード入力が求められない印刷ジョブとなる。
【００１６】
これらの機能を組み合わせることで、補助記憶装置に格納された暗号印刷ジョブを通常印刷ジョブ（通常ジョブ）と同様に認証後自動印刷で印刷することが可能となる。
【００１７】
このように、暗号印刷ジョブの印刷を認証後自動印刷機能によって可能にすることで、ユーザ操作の手間を削減できユーザビリティに優れた画像形成装置１０２を提供できる。
【００１８】
図１は、本実施形態に係るネットワーク構成の一例を示す図である。ＬＡＮ１０５には、印刷ジョブを投入するパーソナルコンピューター（ＰＣ）１０１と、投入された印刷ジョブを処理する画像形成装置１０２が接続される。ＬＡＮ１０５に接続されるＰＣおよび画像形成装置の数はこれに限定されるものではない。画像形成装置１０２はＰＣ１０１から投入された印刷ジョブを一意に特定するための書誌情報を管理する。なお、本実施例では印刷ジョブの投入元をＰＣ１０１としているが、ＰＣ以外のデバイス（例えば、携帯端末や他の画像形成装置など）であっても構わない。
【００１９】
図２は、画像形成装置１０２の全体の構成を示すブロック図である。画像形成装置１０２内のコントローラユニット２０１において、ＣＰＵ２０２はシステム全体を制御する演算装置である。ＲＡＭ２０３はＣＰＵ２０２が動作するためのシステムワークメモリであり、画像データを一時記憶するための画像メモリである。また、ＲＡＭ２０３はオペレーティングシステムやシステムソフトウェア、アプリケーションソフトウェアなどのプログラムやデータも配置される。ＲＯＭ２０４はシステムのブートプログラムが格納されている。
【００２０】
ハードディスクドライブ（ＨＤＤ）２０５はオペレーティングシステムやシステムソフトウェア、アプリケーションソフトウェア、画像データ、設定データなどを格納する。操作部Ｉ／Ｆ２０６は操作部２０７とのインターフェース部であり、操作部２０７に表示する情報を操作部２０７に対して出力する。また、操作部２０７からユーザが入力した情報を受け付ける。
【００２１】
ネットワークＩ／Ｆ２０８はネットワーク（ＬＡＮ）１０５に接続し、同一ＬＡＮ上に接続されたＰＣや別の画像形成装置と情報の入出力を行う。デバイスＩ／Ｆ２０９は画像入出力デバイスであるスキャナ２１０、プリンタ２１１とコントローラユニット２０１を接続し、画像データの入力や出力を行う。以上のデバイスがシステムバス２１２上に配置される。
【００２２】
図３は、本実施例における画像形成装置１０２のシステムソフトウェアの機能構成を示すブロック図である。
【００２３】
システムソフトウェア３０１は、ＲＡＭ２０３、ＲＯＭ２０４、ＨＤＤ２０５などの記憶手段に記憶され、ＣＰＵ２０２により実行される。
【００２４】
ユーザインタフェース（ＵＩ）制御部３０２は、ユーザが操作部２０７によって入力した情報を操作部Ｉ／Ｆ２０６を経由して受信し、その情報を認証部３０３、データ管理部３０４、ジョブ管理部３０７に送信する。また、ＵＩ制御部３０２は、認証部３０３、データ管理部３０４、ジョブ管理部３０７からの応答を受信し、その情報を操作部Ｉ／Ｆ２０６を経由して操作部２０７に出力する。
【００２５】
認証部３０３は、ＵＩ制御部３０２から受信した認証情報に基づいてユーザ認証処理を行い、その結果を返す。
【００２６】
データ管理部３０４は、ＵＩ制御部３０２、ネットワーク制御部３０６、ジョブ管理部３０７からのデータ書き込み、読み出し要求を受信し、記憶制御部３０５にデータ書き込み、読み出し要求を送信する。また、データ管理部３０４は、記憶制御部３０５からの応答を受信し、その情報をＵＩ制御部３０２、ネットワーク制御部３０６、ジョブ管理部３０７に送信する。
【００２７】
記憶制御部３０５は、データ管理部３０４からのデータ書き込み、読み出し要求を受信して、ＨＤＤ２０５に対してデータの書き込み、読み出しを行い、その結果をデータ管理部３０４に返す。
【００２８】
ネットワーク制御部３０６は、ＬＡＮ１０５上に接続されたＰＣ１０１や他の画像形成装置からの要求をネットワークＩ／Ｆ２０８を経由して受信する。そして、ネットワーク制御部３０６は、受信した要求に応じてデータ管理部３０４、ジョブ管理部３０７に処理を要求する。また、ネットワーク制御部３０６は、データ管理部３０４、ジョブ管理部３０７からの応答を受信する。そして、ネットワーク制御部３０６は受信した応答をネットワークＩ／Ｆ２０８を経由してＬＡＮ１０５上に接続されたＰＣ１０１や他の画像形成装置に送信する。
【００２９】
ジョブ管理部３０７は、ＵＩ制御部３０２、ネットワーク制御部３０６からのジョブ実行要求を受信し、ジョブを管理する。そして、ジョブ管理部３０７は、ジョブ制御部３０８にジョブ実行を要求する。また、ジョブ管理部３０７は、データ管理部３０４にデータ書き込み、読み出し要求を送信する。また、ジョブ管理部３０７は、データ管理部３０４、ジョブ制御部３０８からの応答を受信し、ＵＩ制御部３０２、ネットワーク制御部３０６に対して、ジョブの状態を送信する。
【００３０】
ジョブ制御部３０８は、ジョブ管理部３０７からのジョブ実行要求を受信し、デバイスＩ／Ｆ２０９を経由してスキャナ２１０、プリンタ２１１の動作を制御する。また、ジョブ制御部３０８は、スキャナ２１０、プリンタ２１１の動作状態をデバイスＩ／Ｆ２０９を経由して受信し、ジョブ管理部３０７に送信する。
【００３１】
パスワード処理部３０９は、操作部２０７でユーザから受け付けたパスワードを用いて、暗号印刷ジョブを復号化する。
【００３２】
図４は、本実施例におけるＰＣ１０１の全体構成を示すブロック図である。ＰＣ１０１において、ＣＰＵ４０１は、システム全体を制御する演算装置である。ＲＯＭ４０２は、各処理に関わるプログラムやデータを格納する。ＲＡＭ４０３は、ＣＰＵ４０１が動作するためのシステムワークメモリであり、各処理に関わる一時的なデータを記憶する記憶メモリである。
【００３３】
ハードディスクドライブ（ＨＤＤ）４０４は、各処理に関わるプログラムやデータ、一時的なデータ、アプリケーションデータなどを格納する。入力装置４０５は、ＰＣ１０１への指示入力を受け付けるキーボードやポインティングデバイスである。表示装置４０６は、ＰＣ１０１の動作状況や、ＰＣ１０１上で動作する各プログラムが出力する情報を表示する。ネットワークＩ／Ｆ４０７は、ネットワーク（ＬＡＮ）１０５に接続し、同一ＬＡＮ上に接続された他のＰＣや画像形成装置と情報の入出力を行う。このような構成要素が、システムバス４０８上に配置される。
【００３４】
なお、ＣＰＵ４０１が、ＨＤＤ４０４に記憶されているオペレーティングシステム（ＯＳ）やプリンタドライバ、アプリケーションに対応するプログラムに基づいて、処理を実行することにより、ＯＳやプリンタドライバによる機能（又は処理）が実現される。
【００３５】
図５は、本実施例におけるＰＣ１０１のシステムソフトウェアの構成を示すブロック図である。システムソフトウェア５０１は、ＲＯＭ４０２、ＲＡＭ４０３、ＨＤＤ４０４などの記憶手段に記憶され、ＣＰＵ４０１により実行される。
【００３６】
システムソフトウェア５０１は、アプリケーション５０２およびプリンタドライバ５０３を含む。アプリケーション５０２は、例えば、ユーザが、ＰＣ１０１の表示装置４０６を見ながら、ポインティングデバイスやキーボードといった入力装置４０５を用いて、画像や文書を作成、編集するためのツールである。ユーザは、アプリケーション５０２を用いて画像や文書などのデータを作成し、プリンタドライバ５０３を用いて印刷命令データを作成し、画像形成装置１０２のような印刷可能な装置に送信する。
【００３７】
図６は、一例として従来の画像形成装置の設定のシーケンス、強制留め置き設定時の印刷ジョブの記憶シーケンスおよび暗号印刷ジョブのパスワード入力が必要な場合のユーザ認証後自動印刷のシーケンスを説明する図である。ここではユーザがＰＣ１０１を操作して画像形成装置１０２に印刷ジョブを送信し、画像形成装置１０２で印刷する例で説明する。
【００３８】
ＰＣ１０１の処理は、ＰＣ１０１のＣＰＵ４０１がアプリケーション５０２やプリンタドライバ５０３などのシステムソフトウェア５０１を実行することによって、ＰＣ１０１により実行される。画像形成装置１０２の処理は、画像形成装置１０２のＣＰＵ２０２がシステムソフトウェア３０１を実行することにより実行される。
【００３９】
まず、ステップＳ７０１およびステップＳ７０２において、従来の画像形成装置の設定のシーケンスについて説明する。
【００４０】
ステップＳ７０１において、ユーザは画像形成装置１０２を操作し、図７（ａ）に示す強制留め置き設定（ジョブ保持設定）をＯＮ、図８（ａ）に示すログイン時にマイジョブを自動でプリントする設定（認証印刷設定）をＯＮに設定する。ステップＳ７０２で、画像形成装置１０２は、ステップＳ７０１で指示された設定値を保存する。
【００４１】
ここで、図７、図８について説明する。図７（ａ）は、強制留め置きを設定する設定画面１６０１の一例である。ＯＮ１６０２を設定すると、画像形成装置１０２に入稿された印刷ジョブを強制的にＨＤＤ２０５に記憶する。本実施例では、入稿された印刷ジョブを強制的にＨＤＤ２０５に記憶し、所定の操作をするまで印刷しないことを「留め置く（保持する）」とよぶ。通常、ユーザが入稿した印刷ジョブを印刷する場合は、画像形成装置１０２を操作して記憶された印刷ジョブを選択し、印刷を指示する。ＯＦＦ１６０３を設定すると、画像形成装置１０２に入稿された印刷ジョブを直ちに実行する。
【００４２】
ただし、ＯＦＦ１６０３の設定であっても、印刷ジョブの設定として留め置き指示がされた印刷ジョブおよびパスワード付き印刷ジョブは、印刷ジョブの設定に基づきＨＤＤ２０５に格納する。
【００４３】
図７（ａ）においてユーザがＯＮ１６０２またはＯＦＦ１６０３を選択し、ＯＫ１６０５を押下すると、記憶制御部３０５が設定値をＨＤＤ２０５に格納する。ユーザがキャンセル１６０４を押下すると、ＵＩ制御部３０２は本設定画面の表示を止める。なお、ユーザが本画面で指定した設定の設定値は図７（ｂ）に示されるテーブルで管理し、ＨＤＤ２０５に保持する。ジョブ管理部３０７は任意のタイミングで設定値１９０１を参照可能とする。
【００４４】
図８（ａ）は、ログイン時（ユーザ認証によってユーザが認証された時）にマイジョブ（認証されたユーザのジョブ）を自動でプリントするか否かを設定する設定画面１７０１の一例である。
【００４５】
ＯＮ１７０２を設定すると、ユーザが画像形成装置１０２にログインしたことに基づき、ＨＤＤ２０５に格納されている印刷ジョブのうち、ログインユーザの印刷ジョブをユーザの印刷指示なしに（自動で）印刷を実行する。ＯＦＦ１７０３を設定すると、ユーザが画像形成装置１０２にログインしたことに基づく印刷ジョブの実行を行わない。この場合には、ユーザが入稿した印刷ジョブを印刷する場合は、画像形成装置１０２を操作して格納された印刷ジョブを選択し、印刷を指示する必要がある。
【００４６】
ユーザがＯＮ１７０２またはＯＦＦ１７０３を選択し、ＯＫ１７０５を押下すると、記憶制御部３０５が設定値をＨＤＤ２０５に格納する。ユーザがキャンセル１７０４を押下すると、ＵＩ制御部３０２は本設定画面の表示を止める。なお、ユーザが本画面で指定した設定の設定値は図８（ｂ）に示されるテーブルで管理し、ＨＤＤ２０５に保持する。ジョブ管理部３０７は任意のタイミングで設定値２００１を参照可能とする。
【００４７】
図６の説明に戻る。ステップＳ７０１およびステップＳ７０２で行う画像形成装置の設定は、画像形成装置１０２に予め設定値が保存されている場合には省略可能である。
【００４８】
次に、ステップＳ７０３〜ステップＳ７０８において、強制留め置き設定時の印刷ジョブの記憶シーケンスを説明する。なお、ここでは、パスワードが設定されていない通常印刷ジョブと、パスワードが設定された暗号印刷ジョブとを留め置く構成を説明するが、これに限られず、通常印刷ジョブのみを留め置く構成、または、暗号印刷ジョブのみを留め置く構成でもよい。
【００４９】
ステップＳ７０３で、ユーザはＰＣ１０１を操作し、パスワードの設定等を行わない通常印刷ジョブの印刷を指示する。ステップＳ７０４で、ＰＣ１０１は、通常印刷ジョブを画像形成装置１０２に入稿する。ステップＳ７０５で、画像形成装置１０２は、通常印刷ジョブをＨＤＤ２０５に留め置く。これにより通常印刷ジョブの画像形成装置１０２への入稿が終了する。
【００５０】
次にステップＳ７０６で、ユーザはＰＣ１０１を操作し、パスワードの設定を行った暗号印刷ジョブの印刷を指示する。ステップＳ７０７で、ＰＣ１０１は、暗号印刷ジョブを画像形成装置１０２に入稿する。ステップＳ７０８で、画像形成装置１０２は、暗号印刷ジョブをＨＤＤ２０５に留め置く。これにより、暗号印刷ジョブの画像形成装置１０２への入稿が終了する。このときの、印刷ジョブリストは例えば図９となる。
【００５１】
次に、ステップＳ７０９〜ステップＳ７１６において、従来の認証後自動印刷のシーケンスを説明する。
【００５２】
ステップＳ７０９で、ユーザは画像形成装置１０２でユーザ認証を行い、画像形成装置１０２にログインする。ステップＳ７１０で、画像形成装置１０２は、ステップＳ７０５で留め置きした通常印刷ジョブを実行する。なお、この時、ステップＳ７０８で留め置きした暗号印刷ジョブは、パスワード照合が完了していないため、印刷できない。
【００５３】
または、通常印刷ジョブと暗号印刷ジョブを別のジョブリストとして管理している等の理由で、暗号印刷ジョブが認証後自動印刷の対象外となっている場合も暗号印刷ジョブは印刷されない。ステップＳ７１０で、留め置きした通常印刷ジョブの実行が終了するとステップＳ７１１に遷移する。
【００５４】
ステップＳ７１１で、ユーザは画像形成装置１０２を操作し、印刷ジョブリストの表示を指示する。ステップＳ７１２で、画像形成装置１０２は、図１０に示す印刷ジョブリスト画面を操作部２０７に表示する。図１０に示す印刷ジョブリストには、図９に示した印刷ジョブリストのうち、印刷が行われていない暗号印刷ジョブが表示される。なお図１０において、通常印刷ジョブは、印刷が行われたためリストに非表示としたが、印刷が行われたことがわかるように表示してもよい。
【００５５】
ステップＳ７１３で、ユーザは画像形成装置１０２を操作し、印刷ジョブリスト画面からセキュアジョブを選択し、印刷を指示する。ステップＳ７１４で、画像形成装置１０２は、操作部に不図示のパスワード入力画面を表示する。
【００５６】
ステップＳ７１５で、ユーザは画像形成装置１０２の操作部を操作し、パスワードを入力する。ステップＳ７１６で、画像形成装置１０２は、暗号印刷ジョブを印刷する。すべての暗号印刷ジョブを印刷すると、画像形成装置１０２は、操作部に図１１に示す印刷ジョブリストを表示する。そして図６のシーケンスが終了する。
【００５７】
次に図１２は、一例として本実施例の画像形成装置の設定のシーケンス、強制留め置き設定時の印刷ジョブの記憶シーケンスおよび暗号印刷ジョブのパスワード入力が不要な場合のユーザ認証後自動印刷のシーケンスを説明する図である。なお、ステップＳ８０３〜ステップＳ８０８は、図６のステップＳ７０３〜ステップＳ７０８と同じであるため説明を省略する。
【００５８】
まず、ステップＳ８０１およびステップＳ８０２において、本実施例の画像形成装置の設定のシーケンスについて説明する。
【００５９】
まず、ステップＳ８０１で、ユーザは画像形成装置１０２を操作し、図７（ａ）に示す強制留め置き設定をＯＮ、図８（ａ）に示すログイン時にマイジョブを自動でプリントする設定をＯＮする。さらに、図１３（ａ）に示すマイジョブのプリント／画像表示（プレビュー）時におけるパスワード入力設定をＯＮに設定する。ステップＳ７０２で、画像形成装置１０２は、ステップＳ８０１で指示された設定値を保存する。
【００６０】
ここで、図１３について説明する。図１３（ａ）は、マイジョブのプリント／画像表示時におけるパスワード入力設定を設定する設定画面１３０１の一例である。設定画面１３０１では、マイジョブのプリント／画像表示時におけるパスワード入力設定を変更できる。ユーザがＯＮ１３０２に設定すると、暗号印刷ジョブの印刷にパスワードが必要となり、ユーザがＯＦＦ１３０３に設定すると、暗号印刷ジョブの実行にパスワードの入力が不要となる。
【００６１】
本実施例では、ステップＳ８０９で画像形成装置１０２を使用するユーザの認証を行うため、セキュリティを担保することが可能である。そのため認証を受け付けたユーザに対応する暗号印刷ジョブについてはパスワードの照合をしなくてもセキュリティを担保できるためパスワードの入力が不要となる。
【００６２】
ユーザがＯＮ１３０２またはＯＦＦ１３０３を選択し、ＯＫ１３０５を押下すると、記憶制御部３０５が設定値をＨＤＤ２０５に格納する。ユーザがキャンセル１３０４を押下すると、ＵＩ制御部３０２は本設定画面の表示を止める。なお、ユーザが本画面で指定した設定の設定値は図１３（ｂ）に示されるテーブルで管理し、ＨＤＤ２０５に保持する。ジョブ管理部３０７は任意のタイミングで設定値１８０１を参照可能とする。
【００６３】
図１２の説明に戻る。ステップＳ８０９〜ステップＳ８１６において、暗号印刷ジョブのパスワード入力が不要な場合の認証後自動印刷のシーケンスを説明する。
【００６４】
ステップＳ８０９で、ユーザは画像形成装置１０２でユーザ認証を行い、画像形成装置１０２にログインする。
【００６５】
ステップＳ８１０で、画像形成装置１０２は、設定値１８０１を取得する。取得した設定値１８０１に基づいて暗号印刷ジョブの実行にパスワードの入力が必要か否かを確認する。ここでは、ステップＳ８０１において、マイジョブのプリント／画像表示時におけるパスワード入力設定がＯＦＦに設定されているため、暗号印刷ジョブの実行にパスワードが不要と判断し、ステップＳ８１１に遷移する。
【００６６】
ステップＳ８１１において、画像形成装置１０２は、ステップＳ８０５で留め置きした通常印刷ジョブと、Ｓ８０８で留め置きした暗号印刷ジョブを印刷する。前述したように暗号印刷ジョブの実行にパスワードが不要な設定であることから、ステップＳ８０９においてユーザ認証を行うことで、暗号印刷ジョブの印刷時にパスワードの入力が省略される。ステップＳ８１１を終えると、ステップＳ８１２に遷移する。
【００６７】
ステップＳ８１２において、ユーザは画像形成装置１０２を操作し、印刷ジョブリストの表示を指示する。Ｓ８１３で、画像形成装置１０２は印刷ジョブが何もない印刷ジョブリスト画面（図１１）を表示する。Ｓ８０４で入稿した通常印刷ジョブとＳ８０７で入稿したセキュアジョブは、Ｓ８１１で印刷済みであるため、印刷ジョブリストには何も表示されない。以上が本実施例のシーケンス図の説明である。
【００６８】
なお、ステップＳ８０１において画像形成装置１０２が、図１２に示すマイジョブのプリント／画像表示時におけるパスワード入力設定をＯＮにすると図６と同様のフローチャートとなる。その場合には、ステップＳ７０９〜ステップＳ７１６は、マイジョブのプリント／画像表示時にパスワード入力設定がＯＮであり、暗号印刷ジョブのパスワード入力が必要な場合の認証後自動印刷のシーケンスとなる。
【００６９】
次に図１４を用いて、本実施例のＰＣ側の印刷ジョブの入稿処理フローについて説明する。図１４は、ＰＣのＣＰＵ４０１がアプリケーション５０２やプリンタドライバ５０３などのシステムソフトウェア５０１を実行することによって実行される。
【００７０】
ユーザは、ポインティングデバイスやキーボードといった入力装置４０５を用いて、アプリケーション５０２で画像や文書などのデータを作成し、印刷を指示する。ユーザの印刷指示によって、図１４のフローが開始する。
【００７１】
ステップＳ９０１において、プリンタドライバ５０３は、画像や文書などのデータ、文書名などの文書属性、印刷指示時にプリンタドライバに設定されている印刷設定情報に従ってＰＤＬデータを作成する。このとき、暗号印刷ジョブを作成する場合には、印刷設定情報に含まれるパスワードをＰＤＬデータに付加する。そしてステップＳ９０１を終えるとステップＳ９０２に遷移する。ステップＳ９０２において、ＰＣは、画像形成装置１０２に印刷ジョブとして送信する。
【００７２】
次に図１５を用いて、本実施例の画像形成装置側の印刷ジョブの入稿処理および印刷ジョブの保存処理フローについて説明する。図１６は、画像形成装置のＣＰＵ２０２によってシステムソフトウェア３０１を実行することによって実行される。
【００７３】
図１４のステップＳ９０２において、印刷ジョブが送信されることで開始する。ステップＳ９０２において送信された印刷ジョブはサーバを介して画像形成装置１０２に入稿する。具体的には、図１５のステップＳ１００１において、ネットワーク制御部３０６はＰＣ１０１からの印刷ジョブを受け付ける。受け付けたジョブは、ジョブ管理部３０７に印刷ジョブを送信する。ステップＳ１００１を終えると、ステップＳ１００２に遷移する。
【００７４】
ステップＳ１００２において、ジョブ管理部３０７は印刷ジョブを受け取ると、印刷ジョブを保存するか否かを判定する。
【００７５】
ここで印刷ジョブの保存判定のフローについて図１６を用いて説明する。図１６は画像形成装置１０２のＣＰＵ２０２によってシステムソフトウェア３０１を実行することによって実行される。
【００７６】
ステップＳ１１０１において、ジョブ管理部３０７は、印刷ジョブを解析し、保存設定がされているか否かを判定する。保存設定がされている場合にはステップＳ１１０５に遷移する。ステップＳ１１０５において、ジョブ管理部３０７は、印刷ジョブ保存をすると判定する。ステップＳ１１０５を終えるとフローを終了する。
【００７７】
ステップＳ１１０１において、保存設定がされていない場合には、ステップＳ１１０２に遷移する。ステップＳ１１０２において、ジョブ管理部３０７は、印刷ジョブを解析し、印刷設定に暗号化設定が含まれているか否かを判定する。含まれている場合には、ステップＳ１１０５に遷移する。含まれていない場合には、ステップＳ１１０３に遷移する。
【００７８】
ステップＳ１１０３において、ジョブ管理部３０７は、強制留め置きの設定値１９０１を取得する。ジョブ管理部３０７は、強制留め置きの設定値に基づき、強制留め置きの設定がされているか否かを判定する。強制留め置きの設定がされている場合、ステップＳ１１０５に遷移する。強制留め置きの設定がされていない場合には、ステップＳ１１０４に遷移する。ステップＳ１１０４においてジョブ管理部３０７は、印刷ジョブ保存をしないと判断する。ステップＳ１１０４を終えるとフローを終了する。
【００７９】
図１５の説明に戻る。ステップＳ１００２を終えるとステップＳ１００３に遷移する。ステップＳ１００３において、ジョブ管理部３０７は、ステップＳ１００２の結果に基づいて、印刷ジョブを保存するか否かを決定する。ステップＳ１００３において印刷ジョブを保存しない場合には、ステップＳ１００７に遷移する。ステップＳ１００７において、ジョブ管理部３０７は、ジョブ制御部３０８に印刷ジョブの実行要求を行い、プリンタ２１１が印刷を実行する。ステップＳ１００７を終えると、印刷ジョブの入稿処理および印刷ジョブの保存処理フローを終了する。
【００８０】
ステップＳ１００３において印刷ジョブを保存する場合には、ステップＳ１００４に遷移する。ステップＳ１００４において、ジョブ管理部３０７は、データ管理部３０４に印刷ジョブを送信する。データ管理部３０４は、ジョブ管理部３０７から受信した印刷ジョブを解析し、書誌情報を抽出する。
【００８１】
図１７は書誌情報テーブルの一例を示す図である。印刷ジョブが投入された日時１２０２、印刷ジョブを投入したユーザ名１２０３、入稿された印刷ジョブの格納場所１２０４、印刷ジョブ名１２０５、印刷設定１２０６、印刷ジョブのタイプ１２０７、パスワード１２０８からなる。なお、通常印刷ジョブと暗号印刷ジョブを別の書誌情報リストとして管理する場合は、印刷ジョブのタイプ１２０７を書誌情報として管理しなくてもよい。書誌情報１２０９から書誌情報１２１６は各印刷ジョブの書誌情報を示す。
【００８２】
図１５の説明に戻る。ステップＳ１００４を終えると、ステップＳ１００５に遷移する。ステップＳ１００５において、データ管理部３０４は、記憶制御部３０５に印刷ジョブおよび抽出した書誌情報を送信する。記憶制御部３０５は受信した印刷ジョブをＨＤＤ２０５に保存する。さらに、ステップＳ１００６において、記憶制御部３０５は、ステップＳ１００４で抽出した書誌情報をＨＤＤ２０５に保存する。ここでは、ステップＳ１００５を行った後にステップＳ１００６を行うが、同時に行ってもよい。
【００８３】
ステップＳ１００６を終えると、印刷ジョブの入稿処理および印刷ジョブの保存処理フローを終了する。
【００８４】
次に図１８〜図２１を用いて、本実施例の印刷処理について説明する。本実施例の印刷処理は、Ｓ７０９〜Ｓ７１６、Ｓ８０９〜Ｓ８１３の処理に該当する。
【００８５】
まず、図１８を用いて、ユーザが予め画像形成装置１０２にユーザを登録する際の登録処理について説明する。
【００８６】
図１８は、画像形成装置１０２が管理するユーザ管理リスト６０１の一例である。ＵＩ制御部３０２が不図示のユーザ管理入力画面を操作部Ｉ／Ｆ２０６を経由して操作部２０７に表示し、ユーザ入力を受け付ける。
【００８７】
ＵＩ制御部３０２は、操作部Ｉ／Ｆ２０６を経由して操作部２０７からユーザ入力を受信すると、データ管理部３０４に通知する。
【００８８】
データ管理部３０４は記憶制御部３０５に通知し、ＨＤＤ２０５に保存したユーザ管理リスト６０１を更新する。ユーザ管理リスト６０１は、データ管理部３０４によって、任意のタイミングで情報の読み書きが可能であるものとする。
【００８９】
ユーザ名６０２は、画像形成装置１０２を使用するユーザの名称を示す。パスワード６０３は、ユーザ名６０２に対応するユーザのパスワードを示す。
【００９０】
Ｅメールアドレス６０４は、ユーザに対応するＥメールアドレスを示す。部門ＩＤ６０５は、ユーザが所属する部門のＩＤである。
【００９１】
ロール名６０６は、ユーザに与えられた権限を示す。例えば、画像形成装置１０２の管理者権限を有する場合はＡｄｍｉｎｉｓｔｒａｔｏｒとなり、一般ユーザの場合はＧｅｎｅｒａｌＵｓｅｒとなる。
【００９２】
行６０７は、ユーザ名６０２とロール名６０６がＡｄｍｉｎｉｓｔｒａｔｏｒのユーザの情報である。行６０８から行６１０は、画像形成装置１０２を使用する一般ユーザである。ユーザ管理入力画面の操作は、管理者権限を有するユーザのみ実施できることが望ましい。
【００９３】
次に、画像形成装置１０２を使用するユーザが、画像形成装置１０２を操作してユーザ認証を実施し、画像形成装置１０２にログインする処理について説明する。
【００９４】
図１９は、画像形成装置１０２のＣＰＵ２０２により実行される、システムソフトウェア３０１におけるユーザ認証画面の一例である。ユーザはユーザ認証画面１４０１において、ＩＤ１４０２、ＰＡＳＳＷＯＲＤ１４０３を入力し、ログイン１４０４を押下する事で認証部３０３にユーザ認証要求を行う。認証部３０３はユーザ認証画面１４０１で入力された情報とユーザ管理リスト６０１を照合することでユーザ認証を行い、ユーザ認証の結果に応じた任意の処理を行う。
【００９５】
図２０は、画像形成装置１０２のＣＰＵ２０２によりシステムソフトウェア３０１を実行することによって実行される印刷制御の処理を説明するフローチャートである。
【００９６】
ステップＳ２１０１において、画像形成装置１０２は、操作部２０７に図１９に示すユーザ認証画面１４０１を表示する。入力されたＩＤ（ユーザ名）およびパスワードと、図２０に示したユーザ管理リスト６０１のユーザ名とを比較する。ユーザ認証に成功することで、ステップＳ２１０１からステップＳ２１０２に遷移する。
【００９７】
ステップＳ２１０２において、ジョブ管理部３０７は、ログイン時にマイジョブを自動でプリント（認証後自動印刷）を実行するか否かの設定値２００１を取得する。ステップＳ２１０２を終えるとステップＳ２１０３に遷移する。
【００９８】
ステップＳ２１０３において、ジョブ管理部３０７は、認証後自動印刷を実行するか否かの設定値に基づき、認証後自動印刷をするか否かを判定する。
【００９９】
ステップＳ２１０３において認証後自動印刷をすると判定された場合、ステップＳ２１１１に遷移し、ジョブ管理部３０７は、図２１に示す認証後自動印刷の処理を実行する。
【０１００】
ここで図２１に示す認証後自動印刷の処理を説明する。ステップＳ１５０２において、ジョブ管理部３０７は、認証部３０３よりＳ２１０１で認証したログインユーザのユーザ名を取得する。そして、取得したユーザ名を用いて、ログインユーザに対応する書誌情報を書誌情報リスト１２０１から検索する。ステップＳ１５０２を終えるとステップＳ１５０３に遷移する。
【０１０１】
ジョブ管理部３０７は、検索した結果、ログインユーザに対応する書誌情報があるか否かを判定する。
【０１０２】
ステップＳ１５０３においてログインユーザに対応する書誌情報がある場合には、ステップＳ１５０４に遷移する。なお、ログインユーザに対応する書誌情報がある場合には、ジョブ管理部３０７は、対応する書誌情報を取得する。例えば、ログインユーザのユーザ名がＵｓｅｒ１であれば、書誌情報リスト１２０１から書誌情報１２０９〜１２１２を取得する。
【０１０３】
ステップＳ１５０４においてジョブ管理部３０７は、マイジョブのプリント／画像表示時にパスワードが必要の設定の設定値１８０１を取得する。ステップＳ１５０４を終えるとステップＳ１５０５に遷移する。
【０１０４】
ステップＳ１５０５において、ジョブ管理部３０７は、取得したマイジョブのプリント／画像表示時にパスワード入力設定の設定値１８０１に基づき、セキュアプリントの印刷にパスワードが必要か否かを判定する。
【０１０５】
ステップＳ１５０５において、パスワードが必要であると判定された場合に、ステップＳ１５０６に遷移する。ステップＳ１５０６においてジョブ管理部３０７は、ステップＳ１５０３で取得した書誌情報の一部である、印刷ジョブのタイプ１２０７が通常印刷ジョブである印刷ジョブを実行する。取得した書誌情報のうち、印刷ジョブのタイプ１２０７が通常印刷ジョブである印刷ジョブの全てを実行し、印刷が完了すると、ステップＳ１５０６からステップＳ１５０８に遷移する。
【０１０６】
ステップＳ１５０５において、パスワードが不要であると判定された場合に、ステップＳ１５０７に遷移する。
【０１０７】
ステップＳ１５０７では、ステップＳ１５０３で取得した書誌情報のうち、印刷ジョブのタイプ１２０７が通常印刷ジョブである印刷ジョブと、暗号印刷ジョブである印刷ジョブを実行する。つまり、先の例で取得した書誌情報１２０９から１２１２の全ての印刷ジョブを実行する。ステップＳ１５０７を終えると、ステップＳ１５０８に遷移する。
【０１０８】
ステップＳ１５０８では、ＵＩ制御部３０２は、操作部２０７に図２２に示す機能選択画面２２０１を表示させる。機能選択画面２２０１では、ユーザが使用したい機能を選択することができる。ユーザが２２０２から２２０５のいずれかを選択すると、ＵＩ制御部３０２は図示しない各ボタンに対応した機能画面を表示する。ユーザがログアウト２２０７を選択すると、認証部３０３はログアウト処理を実施し、ＵＩ制御部３０２は操作部２０７にユーザ認証画面１４０１を表示する。
【０１０９】
なお、機能選択画面２２０１においてユーザがプリント２２０６を選択すると、ＵＩ制御部３０２は、操作部２０７に印刷ジョブリストを表示させる。例えばステップＳ１５０６を実行した後に機能選択画面２２０１において、プリント２２０６が選択されると、ＵＩ制御部３０２は、図１０の印刷ジョブリスト２４００を操作部２０７に表示させる。図１０には、取得した書誌情報のうち暗号印刷ジョブの書誌情報が表示される。
【０１１０】
一方、ステップＳ１５０７を実行した後に機能選択画面２２０１において、プリント２２０６が選択されると、ＵＩ制御部３０２は、図１１の印刷ジョブリスト２５００を操作部２０７に表示させる。図１１では、取得した書誌情報の全ての印刷ジョブを実行しているため、印刷ジョブが表示されない。
【０１１１】
なお、本実施例ではステップＳ１５０６とＳ１５０７において、ステップＳ１５０３で取得した書誌情報に基づいて印刷ジョブを実行している。しかし、取得した書誌情報に基づいて図９に示す印刷ジョブリストを生成し、生成した印刷ジョブリストに基づいて印刷ジョブを実行してもよい。
【０１１２】
図２０の説明に戻る。ステップＳ２１１１を終えると印刷制御の処理フローが終了する。
【０１１３】
ステップＳ２１０３において、認証後自動印刷をしないと判定された場合に、ステップＳ２１０４に遷移する。ステップＳ２１０４においてＵＩ制御部３０２は、操作部２０７に機能選択画面２２０１を表示する。ステップＳ２１０４を終えるとステップＳ２１０５に遷移する。
【０１１４】
ステップＳ２１０５において、ジョブ管理部３０７は、ユーザからの印刷指示を待つ。ユーザが印刷指示をした場合、ステップＳ２１０６に遷移する。具体的には、機能選択画面２２０１において、ユーザがプリント２２０６を選択することにより、ＵＩ制御部３０２が操作部２０７に図９に示す印刷ジョブリスト２３００を表示する。印刷ジョブリスト２３００は、次のようにして生成される。
【０１１５】
図９に示すプリント待ち２３０１を選択すると、ジョブ管理部３０７は認証部３０３よりログインユーザのユーザ名を取得する。そして、取得したユーザ名を用いて、ユーザ名が含まれる書誌情報を書誌情報リスト１２０１から検索することで、ログインユーザに対応する書誌情報を探す。
【０１１６】
ログインユーザに対応する書誌情報があった場合は、ＵＩ制御部３０２は操作部２０７に取得した書誌情報を表示する。例えば、ログインユーザのユーザ名がＵｓｅｒ１の場合、書誌情報リスト１２０１から書誌情報１２０９から１２１２が取得する。
【０１１７】
取得した書誌情報はそれぞれ２３１７から２３２０に表示する。ユーザがプリント済み２３０２を選択すると、ジョブ管理部３０７は過去に印刷を実行した印刷ジョブの書誌情報を表示する（不図示）。
【０１１８】
ユーザが予約印刷２３０３を選択すると、ジョブ管理部３０７は書誌情報リスト１２０１から印刷する時間が設定された予約印刷ジョブを検索して表示する（不図示）。
【０１１９】
ユーザが更新２３０４を選択すると、ジョブ管理部３０７は書誌情報リスト１２０１を検索し、ＵＩ制御部３０２は表示している書誌情報を更新する。ジョブ名／プリント設定２３０５は、ジョブ名とプリント設定を表示し、ＵＩ制御部３０２は印刷ジョブ名１２０５と印刷設定１２０６と同等の表示をする。
【０１２０】
日時２３０６は日時を示し、ＵＩ制御部３０２は日時１２０２と同等の表示をする。枚数Ｘ部数２３０７は、枚数と部数を表示し、ＵＩ制御部３０２は印刷ジョブを解析した枚数と印刷設定１２０６と同等の表示をする。ジョブタイプ２３０８は、ＵＩ制御部３０２は印刷ジョブのタイプ１２０７が暗号印刷ジョブの場合はセキュアを表示する。なお、通常印刷ジョブを通常等の表示をしても問題ない。ユーザ名２３０９はユーザの名称を示し、ＵＩ制御部３０２はユーザ名１２０３と同等の表示をする。
【０１２１】
ユーザが全選択２３１０を選択すると、ＵＩ制御部３０２は全ての書誌情報２３１７〜書誌情報２３２０を選択状態にする。ユーザが書誌情報２３１７から２３２０のいずれかを選択してからプリント設定２３１１を選択すると、ＵＩ制御部３０２は選択された印刷ジョブの図示しない印刷設定を変更する画面を表示する。
【０１２２】
ユーザが書誌情報２３１７から２３２０のいずれかを選択してからジョブ削除２３１３を選択すると、ジョブ管理部３０７は選択された印刷ジョブを削除する。ユーザが書誌情報２３１７から２３２０のいずれかを選択してからプリント中止２３１４を選択すると、ジョブ管理部３０７は選択された印刷ジョブが印刷中の場合は印刷処理を中止する。
【０１２３】
ユーザが書誌情報２３１７から２３２０のいずれかを選択してからプリント開始２３１５を選択すると、ジョブ管理部３０７は選択された印刷ジョブの印刷を実行する。ユーザがログアウト２３１６を選択すると、認証部３０３はログアウト処理を実施し、ＵＩ制御部３０２は操作部２０７にユーザ認証画面１４０１を表示する。
【０１２４】
図２０の説明に戻る。ステップＳ２１０６において、ジョブ管理部３０７は、印刷指示を受け付けた印刷ジョブが暗号印刷ジョブか否かを判定する。ステップＳ２１０６において、印刷指示を受け付けた印刷ジョブが暗号印刷ジョブでないと判断した場合に、ステップＳ２１１０に遷移する。
【０１２５】
ステップＳ２１０６において、ジョブ管理部３０７は、ユーザから受け付けた印刷指示が暗号印刷ジョブを実行するものである場合は、ステップＳ２１０７に遷移する。ステップＳ２１０７において、ジョブ管理部３０７はマイジョブのプリント／画像表示時におけるパスワード入力設定の設定値１８０１を取得する。ステップＳ２１０７を終えるとステップＳ２１０８に遷移する。
【０１２６】
ステップＳ２１０８において、ジョブ管理部３０７は、設定値１８０１に基づき、暗号印刷ジョブの実行にパスワードが必要か否かを判定する。
【０１２７】
ステップＳ２１０８の判定の結果、暗号印刷ジョブの実行にパスワードが不要であった場合は、ステップＳ２１１０に遷移する。
【０１２８】
ステップＳ２１０８の判定の結果、暗号印刷ジョブの実行にパスワードが必要であった場合は、ステップＳ２１０９に遷移する。ステップＳ２１０９においてＵＩ制御部３０２は不図示のパスワード受け付け画面を表示し、パスワードの入力を受け付ける。ステップＳ２１０９で正しいパスワードを受け付けた場合は、ステップＳ２１１０に遷移する。
【０１２９】
ステップＳ２１１０において、ジョブ管理部３０７は、ジョブ管理部３０７は印刷指示されたジョブの印刷を実行する。ステップＳ２１１０を終えると印刷処理のフローが終了する。
【０１３０】
以上のように、本実施形態では暗号印刷ジョブの実行にパスワードが必要か否かをマイジョブのプリント／画像表示時におけるパスワード入力設定の設定値を確認することで、暗号印刷ジョブが自動印刷の対象に含められるか否かを検証する。
【０１３１】
そして、暗号印刷ジョブの実行にパスワードが不要である場合には、暗号印刷ジョブを認証後自動印刷することが可能であり、ユーザの印刷手間を削減することが可能となる。
【０１３２】
また、本発明と同様の効果が得られるのであれば、実施の形態は、本実施例で説明した実施の形態に限定されない。例えば、通常印刷ジョブと暗号印刷ジョブを別の書誌情報リストとして管理する場合に、通常印刷ジョブの認証後自動印刷を実施する。その後、その他（例えば暗号印刷ジョブ）の書誌情報リストを検索し、認証ユーザが印刷可能な印刷ジョブが存在すれば、それらの印刷ジョブの自動印刷を実行しても構わない。また、その他の印刷ジョブは暗号印刷ジョブに限定されない。
【０１３３】
（その他の実施形態）
以上、本発明の様々な例と実施形態を示して説明したが、本発明の趣旨と範囲は、本明細書内の特定の説明に限定されるものではない。
【０１３４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１３５】
１０２  画像形成装置
２０２  ＣＰＵ
２０５  ＨＤＤ
１３０１  パスワード入力設定画面
１４０１  ユーザ認証画面
１６０１  強制留め置きを設定する設定画面
１７０１  ログイン時にマイジョブを自動でプリントするか否かを設定する設定画面
【図１】
2019206110.tif 000003
【図２】
2019206110.tif 000004
【図３】
2019206110.tif 000005
【図４】
2019206110.tif 000006
【図５】
2019206110.tif 000007
【図６】
2019206110.tif 000008
【図７】
2019206110.tif 000009
【図８】
2019206110.tif 000010
【図９】
2019206110.tif 000011
【図１０】
2019206110.tif 000012
【図１１】
2019206110.tif 000013
【図１２】
2019206110.tif 000014
【図１３】
2019206110.tif 000015
【図１４】
2019206110.tif 000016
【図１５】
2019206110.tif 000017
【図１６】
2019206110.tif 000018
【図１７】
2019206110.tif 000019
【図１８】
2019206110.tif 000020
【図１９】
2019206110.tif 000021
【図２０】
2019206110.tif 000022
【図２１】
2019206110.tif 000023
【図２２】
2019206110.tif 000024